(57)【要約】【課題】本発明の課題は、ボールペン、シャープペンシル等の筆記具に用いる筆記具の軸筒において、把持部を把持した時の把持感触が良く、且つ疲れを解消できる筆記具の軸筒を簡単な構造で提供することにある。【解決手段】本発明は、前記課題を解決するために、軸筒本体２の把持部３に、軟質材からなる内側層４と外側層５との積層構造からなるグリップ部材Ｇを装着してなる筆記具の軸筒１であって、少なくとも前記外側層５をゴム磁石によって形成したことを特徴とする。【選択図】図１
2009045880.tif 000002
【特許請求の範囲】
【請求項１】
軸筒本体の把持部に、軟質材からなる内側層と外側層との積層構造からなるグリップ部材を装着してなる筆記具の軸筒であって、少なくとも前記外側層をゴム磁石によって形成したことを特徴とする筆記具の軸筒。
【請求項２】
前記外側層が、前記内側層及び軸筒本体に対し着脱自在に被覆したことを特徴とする請求項１に記載の筆記具の軸筒。
【請求項３】
前記外側層と内側層が、硬度の異なる軟質材で形成するとともに、硬度の低い軟質材が内側層としたことを特徴とする請求項１または２に記載の筆記具の軸筒。
【請求項４】
前記内側層に対応する前記外側層の平均厚さが、１ｍｍ以上、５ｍｍ以下であることを特徴とする請求項１ないし３の何れか１項に記載の筆記具の軸筒。
【請求項５】
前記外側層が、一本又は複数本の中実線体からなることを特徴とする請求項１ないし４の何れか１項に記載の筆記具の軸筒。
【請求項６】
前記外側層に、厚さが０．０１ｍｍ以上、０．５ｍｍ以下の軟質材からなる被覆層を設けたことを特徴とする請求項１ないし５の何れか１項に記載の筆記具の軸筒。
【発明の詳細な説明】
【技術分野】
【０００１】
本発明は、軸筒本体の把持部に、グリップ部材を装着した筆記具の軸筒に関し、さらに詳しくは、軟質材からなる内側層と外側層とを配設した積層構造のグリップ部材を装着してなる筆記具の軸筒に関する。
【背景技術】
【０００２】
従来から、軸筒本体の把持部に、軟質材からなる内側層と外側層とを配設した積層構造のグリップ部材を装着してなる筆記具の軸筒は知られている。
【０００３】
こうした筆記具の軸筒において、特開平８−１９７８８３号公報の「筆記具、塗布具における把持部構造」に、内部に気体又は液体又はゲル状体又はゼリ−状体を封入した変形可能な筒状の把持体を配置してなる筆記具や、特開２０００−３５５１８５号公報の「筆記具のグリップ」に、内側層のショアー硬度がＨｓ（ＪＩＳ  Ａ）５〜３０、外側層のショアー硬度がＨｓ（ＪＩＳ  Ａ）４０以上としてなる筆記具のグリップが開示されている。
【０００４】
ところで、登録実用新案第３０１９７７０号公報の「磁性体付き筆記具」に、軸筒の把持部に磁性体を付設することで、指先や手の甲に磁界を作用させて新陳代謝を促進させ、肩こり、疲労感を自然に解消させて健康を保持する筆記具が開示されている。
【０００５】
【特許文献１】特開平８−１９７８８３号公報
【特許文献２】特開２０００−３５５１８５号公報
【特許文献４】登録実用新案第３０１９７７０号公報
【発明の開示】
【発明が解決しようとする課題】
【０００６】
前者の軟質材からなる内側層と外側層とを配設した積層構造のグリップ部材を装着してなる筆記具の軸筒は、グリップ部材を装着するだけでなく、軟質材を積層することで、従来グリップに比べて肉厚を厚くするとともに、膨潤し易い低硬度のグリップ部材を内側層にすることで把持感触を向上させ、筆記時の疲れを軽減するものであるが、疲れを解消できるものではない。
【０００７】
また後者は、軸筒の把持部に磁性体を付設することで、疲れを解消することはできるが、把持感触が悪く、筆記し難いという問題があった。
【０００８】
本発明の目的は、把持感触が良く、且つ疲れを解消できる筆記具の軸筒を簡単な構造で提供することにある。
【課題を解決するための手段】
【０００９】
本発明は、軸筒本体の把持部に、軟質材からなる内側層と外側層との積層構造からなるグリップ部材を装着してなる筆記具の軸筒であって、少なくとも前記外側層をゴム磁石によって形成したことを特徴とする。
【００１０】
また、前記外側層が、前記内側層及び軸筒本体に対し着脱自在に被覆したことを特徴とする。
【００１１】
更にまた、前記外側層と内側層が、硬度の異なる軟質材で形成するとともに、硬度の低い軟質材が内側層としたことを特徴とする。
【００１２】
更にまた、前記内側層に対応する前記外側層の平均厚さが、１ｍｍ以上、５ｍｍ以下であることを特徴とする。
【００１３】
更にまた、前記外側層が、一本又は複数本の中実線体からなることを特徴とする請求項１ないし５の何れか１項に記載の筆記具の軸筒。
【００１４】
更にまた、前記外側層に、厚さが０．０１ｍｍ以上、０．５ｍｍ以下の軟質材からなる被覆層を設けたことを特徴とする。
【００１５】
本発明の内側層及び被覆層の軟質材には、弾性変形可能なシリコーンゴム、天然ゴム、ブチルゴム、フッ素ゴム、塩化ビニル樹脂、ブタジエンゴム、ウレタンゴム、ポリエチレン樹脂、その他合成ゴム、熱可塑性エラストマー等、筆記具のグリップ部材として一般的に知られている弾性体のなかから適宜選定して用いることができる。また、硬度の異なる軟質材は、同一の種類でも異なる種類の軟質材であってもよい。
【発明の効果】
【００１６】
本発明は、把持感触が良く、疲れを解消できる筆記具の軸筒を簡単な構造で提供することができた。
【発明を実施するための最良の形態】
【００１７】
次に図面を参照しながら、本発明の筆記具の実施例を説明するが、本発明は以下の実施例に限定されるものではない。
【００１８】
実施例１
図１から図３に示す実施例１の筆記具の軸筒１は、先ず、軸筒本体２をエチレンニトリルスチレン樹脂（ＡＳ樹脂）で成形する。軸筒本体２の把持部３は、外径が小径に形成してある。その把持部３にグリップ部材Ｇを装着するが、グリップ部材Ｇ１は、予めシリコーンゴムにて、ショアー硬度がＨｓ（ＪＩＳ  Ａ）３０の内側層４と、ショアー硬度がＨｓ（ＪＩＳ  Ａ）７０のゴム磁石の外側層５を成形してあり、軸筒本体２の把持部３に内側層４を装着し、その後、外側層５を積層させて被覆してある。
【００１９】
さらにその後、口先部材６の内壁に形成した雌ねじ部７を、軸筒先端に形成した雄ねじ部８に螺着し、口先部材６の後端面６ａが内側層４及び外側層５と軸筒本体２の段部２ａ間に、内側層４及び外側層５を圧縮した状態で保持して筆記具の軸筒１を得る。図示はしていないが、筆記具として使用する場合には、例えば、軸筒内に、先端にボールペンチップを装着したボールペンレフィルを収納する。
【００２０】
外側層５は、フェライトがゴム中で分散して構成した円筒形のゴム磁石である。フェライトとゴムの混合比率は、フェライトが８０〜９５重量％、ゴムが５〜２０重量％であることが適切である。
【００２１】
ゴム磁石は、前記フェライトとゴムの混合比率から、適当な可撓性を得ることができるので指や手にフィットしやすく、また、内側層によって、さらに可撓性を向上することができるので、筆記時の把持感触を向上することができる。
【００２２】
尚、磁石には、希土類磁石、アルニコ磁石等が例示できるが、やさまざまな形状を作れることからフェライト磁石を用いることが最も好ましい。また、本発明に用いるゴム磁化の強さは４０〜２００ミリテスラ、好ましくは５０〜１００ミリテスラが望ましい。
【００２３】
また、水分や油分を吸収し、膨潤し易い硬度の低い、例えば、ショアー硬度がＨｓ４０未満の軟質材を内側層４とすることで、手や指等が直接触れることがなく、膨潤する恐れがなく、可撓性の向上も大きく、筆記時の把持感触をより向上することができるので好ましい。
【００２４】
ゴム磁石からなる外側層５の厚さＫは特に限定されるものではないが、１ｍｍ未満では変形や破れやすく、被覆もしにくい。また、密着状態になったときに、元の状態に戻りにくい。また、内側層に対応する外側層の平均厚さが５ｍｍを越えると、内側層の硬度等、内側層の影響を受けにくくなるので、内側層対応する外側層の平均厚さを１ｍｍ以上、５ｍｍ以下、好ましくは３ｍｍ以上とすることが望ましい。尚、内側層に対応する外側層の平均厚さとは、内側層と外側層が積層構造となっている外側層の肉厚の平均値を示すものである。また、内側層の厚さＬは、１ｍｍ未満では、押圧力（図１の矢印Ｆ方向）を吸収し難く、平均厚さが５ｍｍを越えると、グリップ全体の外径が大きくなるため、１ｍｍ以上、５ｍｍ以下、好ましくは３ｍｍ以上とすることが望ましい。
【００２５】
図４、図５に示す実施例２の筆記具の軸筒１１は、内側層１４及び厚さが０．０１ｍｍ〜０．５ｍｍ以下のウレタンゴムからなる軟質材の被覆層１６を設けたゴム磁石からなる外側層１５からなるグリップ部材Ｇ２を装着した以外は、実施例１と同様にして、口先部材１６の後端面１６ａと軸筒本体１２の段部１２ａ間に、内側層１４及び外側層１５を圧縮した状態で保持して筆記具の軸筒１１を得ている。
【００２６】
厚さが０．０１ｍｍ〜０．５ｍｍ以下の軟質材からなる被覆層１６を設けることによって、把持感触がさらに向上するとともに、外側層１５の劣化を防止し、且つ被覆層１６は、ゴム磁石に比べて所望する色に着色し易いので好ましい。
【００２７】
図６、図７に示す実施例３の筆記具の軸筒２１は、ゴム磁石からなる複数の中実線体１５ａを周設した外側層１５からなるグリップ部材Ｇ３を装着した以外は、実施例１と同様にして、口先部材２６の後端面２６ａと軸筒本体２２の段部２２ａ間に、内側層２４及び外側層２５を圧縮した状態で保持して筆記具の軸筒２１を得ている。
【００２８】
外側層の断面において、フェライト粒子を同一方向、たとえば断面上方向で磁化すると仮定すると、フェライト粒子同士の隣接するＮ極とＳ極が打ち消され、外側層の表面側半分にＮ極性が、下側半分にＳ極性が現われる。このため、外側層の任意の横断面において、仮想的に図７に示されるように磁化されるため、外側層に中実線体を用いることにより効果的に磁力を受けることができる。
【００２９】
図８に示す実施例４の筆記具の軸筒３１は、ゴム磁石からなる一本の円柱体を螺旋状に周設した外側層３５からなるグリップ部材Ｇ４を装着した以外は、実施例１と同様にして、口先部材３６の後端面３６ａと軸筒本体３２の段部３２ａ間に、内側層３４及び外側層３５を圧縮した状態で保持して筆記具の軸筒３１を得ている。
【００３０】
ゴム磁石からなる円柱体３５ａを螺旋状に周設することによって、実施例３と同様に効果的に磁力を得られるとともに、滑り止め効果も得ることができる。尚、中実線体３５ａの外側層に被覆層（図示せず）を設ける場合には、複数本の中実線体３５ａ、個々に被覆層を形成する。
【００３１】
本実施例では、予め成形した内側層及び外側層を、内側層を軸筒本体の把持部に装着した後、外側層を被覆してあるが、内側層は軸筒本体と２色成形に形成してもよい。
【００３２】
また、内側層に外側層を被覆した後に、内側層の外壁及び外側層の内壁に影響のないように接着や融合しても構わないが、使用者の好みの硬度や磁力に変更できるので、外側層を内側層及び軸筒本体に対し着脱自在に被覆するほうが好ましい。
【産業上の利用可能性】
【００３３】
本発明の筆記具の軸筒は、筆記体の種類やノック式、キャップ式に限定されることなく、把持部に軟質材を装着してなる筆記具の軸筒に広く実施可能である。
【図面の簡単な説明】
【００３４】
【図１】実施例１の筆記具の軸筒を示す、一部省略した要部縦断面図である。
【図２】図１におけるグリップ部材の装着前の状態を示す図である。
【図３】図１におけるＡ−Ａ断面図である。
【図４】実施例２の筆記具の軸筒を示す、一部省略した要部縦断面図である。
【図５】実施例３の筆記具の軸筒を示す、一部省略した要部縦断面図である。
【図６】図５におけるＢ−Ｂ断面図である。
【図７】図５における外側層の磁界を示す図である。
【図８】実施例４の筆記具の軸筒を示す、一部省略した要部縦断面図である。
【符号の説明】
【００３５】
１、１１、２１、３１  筆記具の軸筒
２、１２、２２、３２  軸筒本体
３、１３、２３、３３  把持部
４、１４、２４、３４  内側層
５、１５、２５、３５  外側層
６、１６、２６、３６  口先部材
６ａ、１６ａ、２６ａ、３６ａ  後端面
７、１７、２７、３７  雄ねじ部
８、１８、２８、３８  雌ねじ部
９  被覆層
Ｇ１、Ｇ２、Ｇ３、Ｇ４  グリップ部材
Ｋ  外側層の肉厚
Ｌ  内側層の肉厚
【図１】
2009045880.tif 000003
【図２】
2009045880.tif 000004
【図３】
2009045880.tif 000005
【図４】
2009045880.tif 000006
【図５】
2009045880.tif 000007
【図６】
2009045880.tif 000008
【図７】
2009045880.tif 000009
【図８】
2009045880.tif 000010